(57)【要約】【課題】遮断器引き外しコイル断線検出回路に使用されるリレーは、常時励磁されるため、必要時に励磁される場合に比べて、寿命が短くなる課題があった。【解決手段】遮断器制御回路として、遮断器１の引き外しコイル１０、遮断器の補助接点１１ａ、電流動作タイプの遮断器引き外しコイル断線検出リレーのコイル２０、及び事故検出時に通電する遮断器開放指令の接点３１が直列に接続された遮断器引き外し回路と、遮断器引き外しコイル断線検出リレーコイル２０の通電時に開路する接点２０ａ、遮断器開放指令の動作接点３２、遮断器の補助接点１２ａ、及び設定された時間の通電継続により上流遮断器２へ開放指令を出力するタイマリレー４０が直列に接続された遮断器不動作検出回路とで構成した。【選択図】図１
2007330068.tif 000002
【特許請求の範囲】
【請求項１】
遮断器の引き外しコイルと、前記遮断器の閉路時に通電状態となる遮断器の補助接点と、電流動作タイプの遮断器引き外しコイル断線検出用リレーのコイルと、系統の事故検出時に閉じて前記遮断器の引き外しコイルに通電しようとする接点とが、正負電源端子間に直列に接続されてなる遮断器引き外し回路、及び前記遮断器引き外しコイル断線検出用リレーの通電時に開路する遮断器引き外しコイル断線検出用リレーの常閉接点と、系統の事故検出時に閉じて通電する接点と、前記遮断器の閉路時に通電状態となる遮断器の補助接点と、設定された時間の通電継続により上流遮断器へ開放指令を出力するタイマリレーとが、前記正負電源端子間に直列に接続されてなる遮断器不動作検出回路を備えてなる遮断器制御回路。
【請求項２】
前記上流遮断器は、遮断器を通して受配電系統の上流系統に接続されている遮断器である請求項１に記載の遮断器制御回路。
【請求項３】
前記遮断器は発電機主回路の遮断器で、上流遮断器は、前記遮断器を通して上流変電所に接続されている遮断器である請求項１に記載の遮断器制御回路。
【請求項４】
前記タイマリレーは、少なくとも２つの開放信号を出力する接点を有し、一方の接点は上流変電所に接続されている遮断器に対して開放指令を出力し、他方の接点は他の関連する遮断器に対する開放指令を出力するようにした請求項３に記載の遮断器制御回路。
【請求項５】
前記タイマリレーは少なくとも２つのリレーで構成され、一方のリレーの接点と他方のリレーの接点は動作時間に時限協調を持たせたことを特徴とする請求項１乃至請求項３のいずれか１つに記載の遮断器制御回路。
【請求項６】
前記遮断器は２組以上の引き外しコイルを有し、すべての引き外しコイルが断線した時に、前記タイマリレーは上流遮断器へ開放指令を出力するようにした請求項１乃至請求項３のいずれか１つに記載の遮断器制御回路。
【発明の詳細な説明】
【技術分野】
【０００１】
この発明は、遮断器制御回路に関し、特に遮断器引き外し指令が与えられたにも関わらず、遮断器が不動作の場合に、系統の上流側遮断器を開放し、事故点を系統から切り離して事故継続を防止する制御回路に関するものである。
【背景技術】
【０００２】
従来、遮断器引き外しコイルの断線検出は、電源端子と遮断器引き外しコイルとの間に常時励磁状態となる電圧動作タイプの補助リレー（断線検出リレー）を設け、遮断器閉路時に遮断器引き外しコイルの断線が生じると、上記補助リレーが非励磁状態となることにより、動作確認用タイマリレーが動作するようにし、この動作確認用タイマリレーの一定時限後に遮断器引き外しコイルに断線が生じたことを報知する制御回路で構成していた。またこの制御回路は遮断器引き外しコイルの断線検出を確認後、系統の上流側遮断器に引き外し指令を送る構成にもなっている。（特許文献１参照）
【０００３】
また他の遮断器引き外しコイルの断線検出回路は、電源端子と遮断器引き外しコイルとの間に、所定時間毎に閉じるタイマ接点とこのタイマ接点が閉じる毎に励磁状態となる電圧動作タイプの補助リレー（断線検出リレー）を設け、上記タイマ接点が閉じている間に遮断器閉路時に遮断器引き外しコイルの断線が生じると、上記補助リレーが非励磁状態となることにより、動作確認用タイマリレーが動作するようにし、この動作確認用タイマリレーの一定時限後に遮断器引き外しコイルに断線が生じたことを報知するように構成していた。このように構成することにより、補助リレーが常時通電励磁されないようにし、補助リレーの長寿命化を図っていた。（特許文献２参照）
【特許文献１】特開平７−３２２４６８号公報
【特許文献２】特開２０００−１１５９８５号公報
【発明の開示】
【発明が解決しようとする課題】
【０００４】
特許文献１に記載された従来技術の場合、遮断器引き外しコイル断線検出回路に使用される補助リレー（断線検出リレー）は、常時、励磁されるため、必要時に励磁される場合に比べて、寿命が短くなる可能性が大きい。また、遮断器引き外しコイルの断線を検出する補助リレーのコイル部で短絡故障が発生した場合は遮断器引き外しコイルが励磁され、遮断器が誤って開放される問題がある。
また特許文献２に記載された従来技術の場合、タイマ接点が閉じている間にしか遮断器引き外しコイルの断線を検出することが出来ず、常時の断線検出ができないため、遮断器引き外しコイルの断線検出が遅れて事故が長時間継続する可能性が生じるという問題がある。
【０００５】
この発明は上記のような課題を解決するためになされたものであり、遮断器引き外しコイルの断線を検出する補助リレー（断線検出用リレー）のコイルが常時励磁されることなく断線検出が常時可能で、また遮断器引き外しコイルの断線検出用リレーのコイル部での短絡故障による遮断器誤開放も防止することができる遮断器制御回路を提供することを目的とする。
【課題を解決するための手段】
【０００６】
この発明に係る遮断器制御回路は、遮断器の引き外しコイルと、前記遮断器の閉路時に通電状態となる遮断器の補助接点と、電流動作タイプの遮断器引き外しコイル断線検出用リレーのコイルと、系統の事故検出時に閉じて前記遮断器の引き外しコイルに通電しようとする接点とが、正負電源端子間に直列に接続されてなる遮断器引き外し回路、及び前記遮断器引き外しコイル断線検出用リレーの通電時に開路する遮断器引き外しコイル断線検出用リレーの常閉接点と、系統の事故検出時に閉じて通電する接点と、前記遮断器の閉路時に通電状態となる遮断器の補助接点と、設定された時間の通電継続により上流遮断器へ開放指令を出力するタイマリレーとが、前記正負電源端子間に直列に接続されてなる遮断器不動作検出回路を備えてなるものである。
【発明の効果】
【０００７】
この発明によれば、電流動作タイプの遮断器引き外しコイル断線検出用リレーのコイルが、常時励磁されることはなく、常時励磁の時に比べて、遮断器引き外しコイル断線検出用リレーのコイルを延命することができる。また遮断器引き外しコイル断線検出リレーのコイルでの短絡故障により遮断器が誤開放されることはない。また回路構成を簡単に構築できるため、遮断器不動作時の故障除去を短時間で実施できる。
【発明を実施するための最良の形態】
【０００８】
実施の形態１
この発明の実施の形態１における遮断器制御回路の構成を図１について説明する。
図１は遮断器１が上流系統に接続された遮断器２を介して接続されている受配電系統に
この発明を適用した場合の図である。
以下、図１における遮断器制御回路について説明する。遮断器１の引き外しコイル１０は通電励磁されると、遮断器１の主回路を開くもので、通常トリップコイルと称されるものである。遮断器１はその主回路の開閉に連動して開閉する補助接点１１ａ、１２ａを有し、この補助接点１１ａ、１２ａは遮断器１の主回路が開の時に開き、主回路が閉の時に閉じる。遮断器引き外しコイル１０の断線を検出するための引き外しコイル断線検出用リレーのコイル２０は電流動作タイプの補助リレーコイルで、その引き外しコイル断線検出用リレーコイル２０の通電時に開路する常閉接点２０ａを有する。遮断器開放指令接点３１、３２は系統の事故検出時に閉じて遮断器１の引き外しコイル１０を通電するものである。タイマリレー４０は設定された時間の通電継続により、その接点４０ａが閉じて上流遮断器２へ開放指令を出力するものである。
【０００９】
そして、正負電源端子Ｐ１、Ｎ１間に、遮断器１の引き外しコイル１０と、遮断器１の閉路時に通電状態となる遮断器の補助接点１１ａと、遮断器引き外しコイル断線検出用リレーのコイル２０と、系統の事故検出時に閉じる開放指令接点３１とが直列に接続されて遮断器引き外し回路が構成される。また上記正負電源端子Ｐ１、Ｎ１間に、上流遮断器２へ開放指令を出力するタイマリレー４０と、遮断器１の閉路時に通電状態となる遮断器の補助接点１２ａと、遮断器引き外しコイル断線検出用リレーの常閉接点２０ａと、系統の事故検出時に閉じる開放指令接点３２とが直列に接続されて遮断器不動作検出回路が構成される。
【００１０】
次に図１における遮断器制御回路の動作について説明する。
まず、遮断器１の下流側回路に事故が発生し、それを検出して過電流継電器（図示せず）などが作動した場合に、過電流継電器は遮断器１に対して開放指令を出す。この開放指令は、制御回路の開放指令接点３１、３２を閉じることで行われる。
遮断器引き外しコイル１０に断線がない場合は、制御回路の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０を通じて負電源端子Ｎ１に電流が流れ、遮断器１の引き外しコイル１０が通電される。こうして遮断器１の引き外しコイル１０が通電され、コイルが励磁されることにより遮断器１の主回路を開き、系統の下流側の事故を受配電系統から除去する。
その際、遮断器引き外しコイル断線検出用リレーのコイル２０が通電され、そのリレーの接点２０ａは開路する。またこの場合は遮断器１の補助接点１２ａも開路している為、遮断器開放指令接点３２が閉じてもタイマリレー４０は通電されず、上流遮断器２に引き外し指令を出力することはない。
【００１１】
一方、遮断器引き外しコイル１０に断線がある場合は、制御回路の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０、負電源端子Ｎ１に通じる回路に電流は流れず、遮断器１の引き外しコイル１０は通電されない。したがって遮断器１の下流側回路に事故が発生していても、遮断器１の主回路を開路することは出来ず、事故が継続することになる。
【００１２】
しかしながら、遮断器引き外しコイル１０に断線が生じている場合は、遮断器引き外しコイル断線検出用リレーのコイル２０は励磁されず、断線検出用リレーの接点２０ａは閉路したままである。この場合、制御回路の遮断器不動作検出回路では、遮断器１の下流側回路に事故が発生し遮断器開放指令接点３２が閉じると、正電源端子Ｐ１から開放指令接点３２、遮断器引き外しコイル断線検出用リレーの常閉接点２０ａ、遮断器１の閉路時に通電状態となる遮断器の補助接点１２ａ、上流遮断器２へ開放指令を出力するタイマリレー４０、負電源端子Ｎ１を通じてタイマリレー４０が励磁される。タイマリレー４０が設定された時間通電されると、そのリレー接点４０ａが閉じ、一定時限後に上流側遮断器２に対して引き外し指令を出力する。
【００１３】
タイマリレー４０に設定される所定時限は、遮断器引き外しコイル断線検出用リレー２０の動作時間＋αを考慮すれば良く、遮断器１が不動作の場合にもほぼ瞬時に系統の上流側遮断器２を開放し、事故点を系統から切り離すことができる。
これにより、遮断器１に対し開放指令が与えられたにも関わらず、遮断器１の引き外しコイル１０に断線などが生じていて遮断器１が不動作の場合に、系統の上流側遮断器２を開放し、事故点を系統から切り離し、事故継続を防止する回路を得ることができる。
【００１４】
なお、遮断器引き外しコイル断線検出用リレーのコイル２０が短絡故障した場合でも、遮断器開放指令接点３１が閉じられない限り、遮断器１の引き外しコイル１０は通電励磁されないので、遮断器１が誤って開放されることはない。
またタイマリレー４０に更に接点を付加して、タイマリレー動作時に、その信号を遠方監視制御の信号伝送等により監視所に送信して、遮断器引き外しコイル１０の断線を監視員に報知するようにするにしてもよい。
【００１５】
この発明の実施の形態１によれば、電流動作タイプの遮断器引き外しコイル断線検出用リレーのコイル２０が、常時励磁されることはなく、常時励磁の時に比べて、遮断器引き外しコイル断線検出用リレーのコイル２０を延命することができる。また遮断器引き外しコイル断線検出用リレーのコイル２０での短絡故障により遮断器１が誤開放されることはない。更に、回路も容易に構築できる。
【００１６】
実施の形態２
この発明の実施の形態２における遮断器制御回路の構成を図２について説明する。
図２は、発電機３の主回路に接続された遮断器１（発電機主回路遮断器）が変圧器４を介して上流系統の送電線に接続された遮断器２を有する発電機系統に、この発明を適用した場合の図である。
以下、図２における遮断器制御回路について説明する。遮断器制御回路が、遮断器引き外し回路と遮断器不動作検出回路で構成される点は、図１に記載した実施の形態１と同じである。
【００１７】
即ち、遮断器引き外し回路は、正負電源端子Ｐ１、Ｎ１間に、遮断器１の引き外しコイル１０と、遮断器１の補助接点１１ａと、遮断器引き外しコイル断線検出用リレーのコイル２０と、系統の事故検出時に閉じる開放指令接点３１とが直列に接続されて構成される。また遮断器不動作検出回路は、上記正負電源端子Ｐ１、Ｎ１間に、上流遮断器２へ開放信号を出力するタイマリレー４０と、遮断器１の補助接点１２ａと、遮断器引き外しコイル断線検出用リレーの常閉接点２０ａと、系統の事故検出時に閉じる開放指令接点３２とが直列に接続されて構成される。
【００１８】
次に図２における遮断器制御回路の動作について説明する。
まず、発電機３に関連する事故が発生し、それを検出して過電流継電器（図示せず）などが作動した場合に、過電流継電器は遮断器１に対して開放指令を出す。この開放指令は、制御回路の開放指令接点３１、３２を閉じることで行われる。
遮断器引き外しコイル１０に断線がない場合は、制御回路の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０を通じて負電源端子Ｎ１に電流が流れ、遮断器１の引き外しコイル１０が通電される。こうして遮断器１の引き外しコイル１０が通電され、コイルが励磁されることにより遮断器１の主回路を開き、発電機事故をそれに接続される発電機系統から除去する。
その際、遮断器引き外しコイル断線検出用リレーのコイル２０が通電され、そのリレーの接点２０ａは開路する。またこの場合は遮断器１の補助接点１２ａも開路している為、遮断器開放指令接点３２が閉じてもタイマリレー４０は通電されず、上流遮断器２に引き外し指令を出力することはない。
【００１９】
一方、遮断器引き外しコイル１０に断線がある場合は、制御回路の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０、負電源端子Ｎ１に通じる回路に電流は流れず、遮断器１の引き外しコイル１０は通電されない。したがって発電機３に事故が発生しても、遮断器１の主回路を開路することは出来ず、発電機３は系統に接続されたままとなり、系統から切り離すことができないことになる。
【００２０】
しかしながら、遮断器引き外しコイル１０に断線が生じている場合は、遮断器引き外しコイル断線検出用リレーのコイル２０は励磁されず、断線検出用リレーの接点２０ａは閉路したままである。この場合、制御回路の遮断器不動作検出回路では、発電機３に事故が発生し遮断器開放指令接点３２が閉じると、正電源端子Ｐ１から開放指令接点３２、遮断器引き外しコイル断線検出用リレーの常閉接点２０ａ、遮断器１の閉路時に通電状態となる遮断器の補助接点１２ａ、上流遮断器２へ開放指令を出力するタイマリレー４０、負電源端子Ｎ１を通じてタイマリレー４０が励磁される。タイマリレー４０が設定された時間通電されると、そのリレー接点４０ａが閉じ、一定時限後に上流側遮断器２に対して引き外し指令を出力する。
これにより、遮断器１に対し開放指令が与えられたにも関わらず、遮断器１が不動作の場合に、系統の上流側遮断器２を開放し、事故点を系統から切り離し、事故継続を防止する回路を得ることができる。
【００２１】
実施の形態３
この発明の実施の形態３における遮断器制御回路の構成を図３について説明する。
図３は、図２の実施の形態２と同様に、発電機３の主回路に接続された遮断器１が変圧器４を介して上流系統に接続された遮断器２を有する発電機系統であるが、更に変圧器４の２次側に変圧器５および他の関連する遮断器６、例えば所内回路のインカミング遮断器を介して他の上流系統に接続された発電機系統を追加したものに、この発明を適用した場合の図である。
【００２２】
以下、図３における遮断器制御回路について説明する。遮断器制御回路が、遮断器引き外し回路と遮断器不動作検出回路で構成される点は、図２に記載の実施の形態２とほぼ同じである。
しかし、遮断器不動作検出回路は、正負電源端子Ｐ１、Ｎ１間に、上流遮断器２へ開放信号を出力するタイマリレー４０と、遮断器１の補助接点１２ａと、遮断器引き外しコイル断線検出用リレーの常閉接点２０ａと、系統の事故検出時に閉じる開放指令接点３２とが直列に接続されて構成され、上記タイマリレー４０は、上流系統に接続された遮断器２に開放指令を出力する接点４０ａと、上流系統に接続された遮断器６に開放指令を出力する接点４０ｂの２つの接点を有している。
【００２３】
次に図３における遮断器制御回路の動作について説明する。
まず、発電機３に関連する事故が発生し、それを検出して過電流継電器（図示せず）などが作動した場合に、過電流継電器は遮断器１に対して開放指令を出す。この開放指令は、制御回路の開放指令接点３１、３２を閉じることで行われる。
遮断器引き外しコイル１０に断線がない場合は、制御回路の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０を通じて負電源端子Ｎ１に電流が流れ、遮断器１の引き外しコイル１０が通電される。こうして遮断器１の引き外しコイル１０が通電され、コイルが励磁されることにより遮断器１の主回路を開き、発電機事故をそれに接続される発電機系統から除去する。
その際、遮断器引き外しコイル断線検出用リレーのコイル２０が通電され、そのリレーの接点２０ａは開路する。またこの場合は遮断器１の補助接点１２ａも開路している為、遮断器開放指令接点３２が閉じてもタイマリレー４０は通電されず、上流遮断器２、６に対して引き外し指令を出力することはない。
【００２４】
一方、遮断器引き外しコイル１０に断線がある場合は、制御回路の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０、負電源端子Ｎ１に通じる回路に電流は流れず、遮断器１の引き外しコイル１０は通電されない。したがって発電機３に事故が発生しても、遮断器１の主回路を開路することは出来ず、発電機３は系統に接続されたままとなり、系統から切り離すことができないことになる。
【００２５】
しかしながら、遮断器引き外しコイル１０に断線が生じている場合は、遮断器引き外しコイル断線検出用リレーのコイル２０は励磁されず、断線検出用リレーの接点２０ａは閉路したままである。この場合、制御回路の遮断器不動作検出回路では、発電機３に事故が発生し遮断器開放指令接点３２が閉じると、正電源端子Ｐ１から開放指令接点３２、遮断器引き外しコイル断線検出用リレーの常閉接点２０ａ、遮断器１の閉路時に通電状態となる遮断器の補助接点１２ａ、上流遮断器２、６へ開放指令を出力するタイマリレー４０、負電源端子Ｎ１を通じてタイマリレー４０が励磁される。タイマリレー４０が設定された時間通電されると、そのリレー接点４０ａおよび４０ｂが閉じ、一定時限後に上流側遮断器２に引き外し指令を、また他の関連する遮断器６に対して引き外し指令を出力する。
これにより、遮断器１に対し開放指令が与えられたにも関わらず、遮断器１が不動作の場合に、系統の上流側遮断器２および関連遮断器６を開放し、事故点を系統から切り離し、事故継続を防止する回路を得ることができる。
【００２６】
実施の形態４
この発明の実施の形態４における遮断器制御回路の構成を図４について説明する。
図４は遮断器１が上流系統に接続された遮断器２を介して接続されている受配電系統に
この発明を適用した場合の図である。
以下、図４における遮断器制御回路について説明する。遮断器制御回路が、遮断器引き外し回路と遮断器不動作検出回路で構成される点は、図１に記載の実施の形態１とほぼ同じであるが、遮断器１は引き外しコイル１０ａ、１０ｂを２個備えているため、遮断器引き外し回路が２重となっている点が異なる。そのため遮断器引き外しコイル断線検出用リレー２０、２１も２個必要となる。
【００２７】
即ち、第１の遮断器引き外し回路は、正負電源端子Ｐ１、Ｎ１間に、遮断器１の引き外しコイル１０ａと、遮断器１の閉路時に通電状態となる遮断器の補助接点１１ａと、遮断器引き外しコイル断線検出用リレーのコイル２０と、系統の事故検出時に閉じる開放指令接点３１とが直列に接続されて構成される。また、第２の遮断器引き外し回路は、正負電源端子Ｐ１、Ｎ１間に、遮断器１の引き外しコイル１０ｂと、遮断器１の閉路時に通電状態となる遮断器の補助接点１３ａと、遮断器引き外しコイル断線検出用リレーのコイル２１と、系統の事故検出時に閉じる開放指令接点３３とが直列に接続されて構成される。
更に、遮断器不動作検出回路は、正負電源端子Ｐ１、Ｎ１間に、上流遮断器２へ開放信号を出力するタイマリレー４０と、遮断器１の補助接点１２ａと、遮断器引き外しコイル断線検出用リレーの常閉接点２０ａ、２１ａと、系統の事故検出時に閉じる開放指令接点３２とが直列に接続されて構成される。
【００２８】
次に図４における遮断器制御回路の動作について説明する。
まず、遮断器１の下流側回路に事故が発生し、それを検出して過電流継電器（図示せず）などが作動した場合に、過電流継電器は遮断器１に対して開放指令を出す。この開放指令は、制御回路の開放指令接点３１、３２、３３を閉じることで行われる。
遮断器引き外しコイル１０ａ、１０ｂの両方に断線がない場合は、制御回路の第１の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０ａを通じて負電源端子Ｎ１に電流が流れ、遮断器１の引き外しコイル１０ａが通電される。同様に、第２の遮断器引き外し回路でも、正電源端子Ｐ１から遮断器開放指令接点３３、遮断器引き外しコイル断線検出用リレーのコイル２１、遮断器１の補助接点１３ａ、遮断器１の引き外しコイル１０ｂを通じて負電源端子Ｎ１に電流が流れ、遮断器１の引き外しコイル１０ｂが通電される。
こうして遮断器１の引き外しコイル１０ａ、１０ｂの両方が通電され、コイルが励磁されることにより遮断器１の主回路を開き、系統の下流側の事故を受配電系統から除去する。
その際、遮断器引き外しコイル断線検出用リレーのコイル２０、２１が通電され、そのリレーの接点２０ａ、２１ａは開路する。またこの場合は遮断器１の補助接点１２ａも開路している為、遮断器開放指令接点３２が閉じてもタイマリレー４０は通電されず、上流遮断器２に引き外し指令を出力することはない。
【００２９】
一方、遮断器引き外しコイル１０ａ、１０ｂの両方に断線がある場合は、まず制御回路の第１の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０ａ、負電源端子Ｎ１に通じる回路に電流は流れず、遮断器１の引き外しコイル１０ａは通電されない。また第２の遮断器引き外し回路では、遮断器開放指令接点３３が閉じたとしても、正電源端子Ｐ１から開放指令接点３３、遮断器引き外しコイル断線検出用リレーのコイル２１、遮断器１の遮断器の補助接点１３ａ、遮断器１の引き外しコイル１０ｂ、負電源端子Ｎ１に通じる回路に電流は流れず、遮断器１の引き外しコイル１０ｂは通電されない。
したがって遮断器１の下流側回路に事故が発生していても、遮断器１の主回路を開路することは出来ず、事故が継続することになる。
【００３０】
しかしながら、遮断器引き外しコイル１０ａ、１０ｂの両方に断線が生じている場合は、遮断器引き外しコイル断線検出用リレーのコイル２０は励磁されず、断線検出用リレーの接点２０ａは閉路したままである。また、遮断器引き外しコイル断線検出用リレーのコイル２１も励磁されず、断線検出用リレーの接点２１ａは閉路したままである。この場合、制御回路の遮断器不動作検出回路では、遮断器１の下流側回路に事故が発生し遮断器開放指令接点３２が閉じると、正電源端子Ｐ１から開放指令接点３２、遮断器引き外しコイル断線検出用リレーの常閉接点２０ａ、２１ａ、遮断器１の閉路時に通電状態となる遮断器の補助接点１２ａ、上流遮断器２へ開放指令を出力するタイマリレー４０、負電源端子Ｎ１を通じてタイマリレー４０が励磁される。タイマリレー４０が設定された時間通電されると、そのリレー接点４０ａが閉じ、一定時限後に上流側遮断器２に対して引き外し指令を出力する。
これにより、遮断器１に対し開放指令が与えられたにも関わらず、遮断器１が不動作の場合に、系統の上流側遮断器２を開放し、事故点を系統から切り離し、事故継続を防止する回路を得ることができる。
【００３１】
なお、遮断器引き外しコイル１０ａ、１０ｂのどちらか一方の断線の場合は、制御回路の第１の遮断器引き外し回路または第２の遮断器引き外し回路のうち、遮断器引き外しコイル１０に断線が起きていない遮断器引き外し回路に電流が流れ、遮断器１の引き外しコイル１０ａまたは１０ｂの一方が通電される。こうして遮断器１の引き外しコイル１０ａ、１０ｂのどちらかの引き外しコイルが励磁されることにより遮断器１の主回路を開き、系統の下流側の事故を受配電系統から除去する。
その際、遮断器引き外しコイル断線検出用リレーのコイル２０、２１のどちらか一方が通電され、そのリレーの接点２０ａまたは２１ａのどちらかが開路する。またこの場合は遮断器１の補助接点１２ａも開路している為、遮断器開放指令接点３２が閉じてもタイマリレー４０は通電されず、上流遮断器２に引き外し指令を出力することはない。
【００３２】
実施の形態５
この発明の実施の形態５における遮断器制御回路の構成を図５について説明する。
図５は、発電機３の主回路に接続された遮断器１（発電機主回路遮断器）が変圧器４を介して上流系統の送電線に接続された遮断器２を有する発電機系統に、この発明を適用した場合の図である。
以下、図５における遮断器制御回路について説明する。遮断器制御回路が、２つの遮断器引き外し回路と遮断器不動作検出回路で構成される点は、図４に記載した実施の形態４と同じであるので、その説明は省略する。
【００３３】
次に図５における遮断器制御回路の動作について説明する。
まず、発電機３に関連する事故が発生し、それを検出して過電流継電器（図示せず）などが作動した場合に、過電流継電器は遮断器１に対して開放指令を出す。この開放指令は、制御回路の開放指令接点３１、３２、３３を閉じることで行われる。
遮断器引き外しコイル１０ａ、１０ｂの両方に断線がない場合は、制御回路の第１の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０ａを通じて負電源端子Ｎ１に電流が流れ、遮断器１の引き外しコイル１０ａが通電される。同様に、第２の遮断器引き外し回路でも、正電源端子Ｐ１から遮断器開放指令接点３３、遮断器引き外しコイル断線検出用リレーのコイル２１、遮断器１の補助接点１３ａ、遮断器１の引き外しコイル１０ｂを通じて負電源端子Ｎ１に電流が流れ、遮断器１の引き外しコイル１０ｂが通電される。
こうして遮断器１の引き外しコイル１０ａ、１０ｂの両方が通電され、コイルが励磁されることにより遮断器１の主回路を開き、発電機事故を系統から除去する。
その際、遮断器引き外しコイル断線検出用リレーのコイル２０、２１が通電され、そのリレーの接点２０ａ、２１ａは開路する。またこの場合は遮断器１の補助接点１２ａも開路している為、遮断器開放指令接点３２が閉じてもタイマリレー４０は通電されず、上流遮断器２に引き外し指令を出力することはない。
【００３４】
一方、遮断器引き外しコイル１０ａ、１０ｂの両方に断線がある場合は、まず制御回路の第１の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０ａ、負電源端子Ｎ１に通じる回路に電流は流れず、遮断器１の引き外しコイル１０ａは通電されない。また第２の遮断器引き外し回路では、遮断器開放指令接点３３が閉じたとしても、正電源端子Ｐ１から開放指令接点３３、遮断器引き外しコイル断線検出用リレーのコイル２１、遮断器１の遮断器の補助接点１３ａ、遮断器１の引き外しコイル１０ｂ、負電源端子Ｎ１に通じる回路に電流は流れず、遮断器１の引き外しコイル１０ｂは通電されない。
したがって遮断器１に接続された発電機に事故が発生していても、遮断器１の主回路を開路することは出来ず、事故が継続することになる。
【００３５】
しかしながら、遮断器引き外しコイル１０ａ、１０ｂの両方に断線が生じている場合は、遮断器引き外しコイル断線検出用リレーのコイル２０、２１の両方とも励磁されず、断線検出用リレーの接点２０ａ、２１ａは閉路したままである。この場合、制御回路の遮断器不動作検出回路では、遮断器１に接続された発電機３に事故が発生し遮断器開放指令接点３２が閉じると、正電源端子Ｐ１から開放指令接点３２、遮断器引き外しコイル断線検出用リレーの常閉接点２０ａ、２１ａ、遮断器１の閉路時に通電状態となる遮断器の補助接点１２ａ、上流遮断器２へ開放指令を出力するタイマリレー４０、負電源端子Ｎ１を通じてタイマリレー４０が励磁される。タイマリレー４０が設定された時間通電されると、そのリレー接点４０ａが閉じ、一定時限後に上流側遮断器２に対して引き外し指令を出力する。
これにより、遮断器１に対し開放指令が与えられたにも関わらず、遮断器１が不動作の場合に、系統の上流側遮断器２を開放し、事故点を系統から切り離し、事故継続を防止する回路を得ることができる。
【００３６】
なお、遮断器引き外しコイル１０ａ、１０ｂのどちらか一方の断線の場合は、制御回路の第１の遮断器引き外し回路または第２の遮断器引き外し回路のうち、遮断器引き外しコイル１０に断線が起きていない遮断器引き外し回路に電流が流れ、遮断器１の引き外しコイル１０ａまたは１０ｂの一方が通電される。こうして遮断器１の引き外しコイル１０ａ、１０ｂのどちらかの引き外しコイルが励磁されることにより遮断器１の主回路を開き、発電機事故を系統から除去する。
その際、遮断器引き外しコイル断線検出用リレーのコイル２０、２１のどちらか一方が通電され、そのリレーの接点２０ａまたは２１ａのどちらかが開路する。またこの場合は遮断器１の補助接点１２ａも開路している為、遮断器開放指令接点３２が閉じてもタイマリレー４０は通電されず、上流遮断器２に引き外し指令を出力することはない。
【００３７】
実施の形態６
この発明の実施の形態６における遮断器制御回路の構成を図６について説明する。
図６は、発電機３の主回路に接続された遮断器１（発電機主回路遮断器）が変圧器４を介して上流系統の送電線に接続された遮断器２を有する発電機系統であるが、更に変圧器４の２次側に変圧器５および他の関連する遮断器６、例えば界磁遮断器を介して他の上流系統に接続された発電機系統を追加したものに、この発明を適用した場合の図である。
以下、図６における遮断器制御回路について説明する。遮断器制御回路が、遮断器引き外し回路と遮断器不動作検出回路で構成される点は、図３に記載の実施の形態３とほぼ同じであるが、タイマリレーを２個使用している点が異なる。
【００３８】
即ち、遮断器不動作検出回路は、正負電源端子Ｐ１、Ｎ１間に、上流遮断器２、６へ開放指令を出力する並列接続された２つのタイマリレー４０、４１と、遮断器１の補助接点１２ａと、遮断器引き外しコイル断線検出用リレーの常閉接点２０ａと、系統の事故検出時に閉じる開放指令接点３２とが直列に接続されて構成されている。上記タイマリレー４０は上流系統に接続された遮断器２に開放指令を出力する接点４０ａを、タイマリレー４１は上流系統に接続された遮断器６に開放指令を出力する接点４１ａを有し、２つのタイマリレー４０、４１は開放指令の動作時間に時限協調が取れるように、それぞれの設定時限が少し異なるようになっている。
【００３９】
次に図６における遮断器制御回路の動作について説明する。
まず、発電機３に関連する事故が発生し、それを検出して過電流継電器（図示せず）などが作動した場合に、過電流継電器は遮断器１に対して開放指令を出す。この開放指令は、制御回路の開放指令接点３１、３２を閉じることで行われる。
遮断器引き外しコイル１０に断線がない場合は、制御回路の遮断器引き外し回路では、正電源端子Ｐ１から遮断器開放指令接点３１、遮断器引き外しコイル断線検出用リレーのコイル２０、遮断器１の閉路時に通電状態となる遮断器の補助接点１１ａ、遮断器１の引き外しコイル１０を通じて負電源端子Ｎ１に電流が流れ、遮断器１の引き外しコイル１０が通電される。
こうして遮断器１の引き外しコイル１０が通電され、コイルが励磁されることにより遮断器１の主回路を開き、発電機事故を系統から除去する。
その際、遮断器引き外しコイル断線検出用リレーのコイル２０が通電され、そのリレーの接点２０ａは開路する。またこの場合は遮断器１の補助接点１２ａも開路している為、遮断器開放指令接点３２が閉じてもタイマリレー４０、４１は通電されず、上流遮断器２、６に引き外し指令を出力することはない。
【００４０】
一方、遮断器引き外しコイル１０に断線がある場合は、まず制御回路の遮断器引き外し回路では、遮断器開放指令接点３１が閉じたとしても、正電源端子Ｐ１から開放指令接点３１、遮断器引き外しコイル断線検出用リレーのコイル２０、遮断器１の遮断器の補助接点１１ａ、遮断器１の引き外しコイル１０、負電源端子Ｎ１に通じる回路に電流は流れず、遮断器１の引き外しコイル１０は通電されない。
したがって遮断器１に接続された発電機に事故が発生していても、遮断器１の主回路を開路することは出来ず、事故が継続することになる。
【００４１】
しかしながら、遮断器引き外しコイル１０に断線が生じている場合は、遮断器引き外しコイル断線検出用リレーのコイル２０は励磁されず、断線検出用リレーの接点２０ａは閉路したままである。この場合、制御回路の遮断器不動作検出回路では、遮断器１に接続された発電機３に事故が発生し遮断器開放指令接点３２が閉じると、正電源端子Ｐ１から開放指令接点３２、遮断器引き外しコイル断線検出用リレーの常閉接点２０ａ、遮断器１の閉路時に通電状態となる遮断器の補助接点１２ａ、上流遮断器２、６へ開放指令を出力するタイマリレー４０および４１、負電源端子Ｎ１を通じてタイマリレー４０、４１が励磁される。タイマリレー４０が設定された第１の時間通電されると、そのリレー接点４０ａが閉じ、所定時限後に上流側遮断器２に対して引き外し指令を出力する。またタイマリレー４１が設定された第２の時間通電されると、そのリレー接点４１ａが閉じ、上記タイマリレー４０とは異なる動作時間の所定時限後に上流側の関連遮断器６に対して引き外し指令を出力する。
これにより、遮断器１に対して開放指令が与えられたにも関わらず、遮断器１が不動作の場合に、系統の上流側遮断器２および関連遮断器６を開放し、事故点を系統から切り離し、事故継続を防止する回路を得ることができる。
【図面の簡単な説明】
【００４２】
【図１】この発明の実施の形態１に関する遮断器制御回路の模式図を示す。
【図２】この発明の実施の形態２に関する遮断器制御回路の模式図を示す。
【図３】この発明の実施の形態３に関する遮断器制御回路の模式図を示す。
【図４】この発明の実施の形態４に関する遮断器制御回路の模式図を示す。
【図５】この発明の実施の形態５に関する遮断器制御回路の模式図を示す。
【図６】この発明の実施の形態６に関する遮断器制御回路の模式図を示す。
【符号の説明】
【００４３】
１：遮断器                        ２：上流遮断器
３：発電機                        ４：変圧器
５：変圧器                        ６：関連遮断器
１０、１０ａ、１０ｂ：遮断器の引き外しコイル
１１ａ、１２ａ、１３ａ：遮断器の補助接点
２０、２１：遮断器引き外しコイル断線検出用リレーのコイル
２０ａ、２１ａ：遮断器引き外しコイル断線検出用リレーの常閉接点
３１、３２、３３：事故時の遮断器開放指令接点
４０、４１：タイマリレー
４０ａ、４０ｂ、４１ａ：タイマリレーの接点
Ｐ１、Ｎ１：正負電源端子
【図１】
2007330068.tif 000003
【図２】
2007330068.tif 000004
【図３】
2007330068.tif 000005
【図４】
2007330068.tif 000006
【図５】
2007330068.tif 000007
【図６】
2007330068.tif 000008